(57)【要約】【課題】  シャッター開閉時における金属音の発生を低減または防止することができるシャッター用消音ガイド、及び、消音機構付きシャッター用ガイドレールを提供すること。【解決手段】  シャッター装置を構成するシャッターカーテンのシャッター要素体を案内するために両側に配設するためのガイドレール本体１１と、ガイドレール本体１１内に案内されるシャッター要素体の短手方向の端辺を整列させる整列部材１２ａと、整列部材１２ａをガイドレール本体１１に取り付けるための取付部材１２ｂを備えていることを特徴としている。【選択図】  図１
2006144394.tif 000002
【特許請求の範囲】
【請求項１】
シャッター装置に適用されるシャッター用消音ガイドにおいて、
前記シャッター装置を構成するシャッターカーテンのシャッター要素体の短手方向の端辺を整列させる整列部材を備えていることを特徴とするシャッター用消音ガイド。
【請求項２】
整列部材は、シャッター要素体の短手方向の端辺に当接する回転ローラ部材を備えていることを特徴とする請求項１記載のシャッター用ガイド。
【請求項３】
整列部材は、シャッター要素体の両側に配設されるガイドレールに取り付けるための取付部材を備えていることを特徴とする請求項１又は２に記載のシャッター用ガイド。
【請求項４】
シャッター装置に適用されるシャッター用ガイドレールにおいて、
前記シャッター装置を構成するシャッターカーテンのシャッター要素体を案内するために両側に配設するためのガイドレール本体と、
該ガイドレール本体内に案内されるシャッター要素体の短手方向の端辺を整列させる整列部材と、
該整列部材を前記ガイドレール本体に取り付けるための取付部材を備えていることを特徴とする消音機構付きシャッター用ガイドレール。
【発明の詳細な説明】
【技術分野】
【０００１】
本発明は、シャッター装置に適用されるシャッター用消音ガイド、及び、消音機構付きガイドレールに関する。
【背景技術】
【０００２】
シャッター装置は、大きく、横引の型式（タイプ）のものと、水平引の型式のものとに区別される。そして、水平引のうち、垂直方向に開閉する型式（ここでは、「垂直方向水平引式」という。）のものが、一般的な型式のものであって、通常、この型式のものを、単にシャッター装置と呼んでいる。ここで、図８に示すように、シャッター装置８０を構成するシャッターカーテン８１は、それぞれ矩形延板形状に形成された複数のシャッター要素体が接続されることによって構成されている。そして、このシャッターカーテン８１を上方のカーテン収容体８２内にて巻き取ることによってシャッターカーテン８１が開く一方、収容体８２内のシャッターカーテン８１を排出することによりシャッターカーテン８１が閉まるのである。
【発明の開示】
【発明が解決しようとする課題】
【０００３】
ここで、上述の通り、シャッターカーテン８１は数十枚のシャッター要素体８１ａが接合されることにより構成されているが、シャッターカーテン８１の開閉を繰り返すと、シャッターカーテン８１を構成するシャッター要素体８１ａ相互の接合（短手方向の端辺）がずれてしまう。例えば、隣合うシャッター要素体８１ａ，８１ａ相互の短手方向の端辺が１ｍｍずれると、最大数十ｍｍずれる可能性があった。
【０００４】
そして、このようにシャッター要素体８１ａがずれると、シャッター要素体８１ａの端面８１ｂと、シャッターカーテン８１の両側に配設されるガイドレール１１の内壁面１１ｂとが接触し、開閉の度に金属音が発生するという不具合があった。
【０００５】
そこで、案出されたのが本発明であって、本発明は、シャッター開閉時における金属音の発生を低減または防止することができるシャッター用消音ガイド、及び、消音機構付きシャッター用ガイドレールを提供することを目的としている。
【課題を解決するための手段】
【０００６】
この目的を達成するため、特許請求の範囲に記載の発明のうち、独立型式の請求項である請求項１記載の発明は、シャッター装置に適用されるシャッター用消音ガイドにおいて、前記シャッター装置を構成するシャッターカーテンのシャッター要素体の短手方向の端辺を整列させる整列部材を備えていることを特徴としている。
【０００７】
また、従属型式の請求項である請求項２又は３に記載の発明は、請求項１記載の発明であるシャッター用消音ガイドの構成要件を全て具備している。
【０００８】
他方、他の独立型式の請求項である請求項４記載の発明は、シャッター装置に適用されるシャッター用ガイドレールにおいて、前記シャッター装置を構成するシャッターカーテンのシャッター要素体を案内するために両側に配設するためのガイドレール本体と、該ガイドレール本体内に案内されるシャッター要素体の短手方向の端辺を整列させる整列部材と、該整列部材を前記ガイドレール本体に取り付けるための取付部材を備えていることを特徴としている。
【発明の効果】
【０００９】
特許請求の範囲に記載のシャッター用消音ガイド、及び、消音機構付きシャッター用ガイドレールによれば、シャッター開閉時における金属音の発生を低減または防止することができるという効果がある。
【発明を実施するための最良の形態】
【００１０】
以下、添付図面を参照して、本発明の好適な実施の形態の例（実施例）について説明する。勿論、本発明の技術的範囲は、下記実施例そのものに何ら限定されるものではない。
【００１１】
本発明は、シャッター用消音ガイド（以下、適宜、単に「消音ガイド」という。）、および、消音機構付きシャッター用ガイドレール（以下、適宜、単に「ガイドレール」という）に関するものであるが、下記実施例は、消音ガイドを備えたガイドレールの場合である。
【実施例１】
【００１２】
図１は、本発明の第１の実施例（実施例１）のガイドレール１０の側面図であり、図２は、ガイドレール１０の平面図である。なお、本実施例を説明するに当たり、発明の理解を容易とするために、各添付図面における図示を一部省略している。
【００１３】
図１及び図２に示すように、ガイドレール１０は、ガイドレール本体１１と、消音ガイド１２と、案内レール１３とによって構成されている。
【００１４】
ガイドレール本体１１は、シャッター装置８０を構成するシャッターカーテン８１の両側に夫々配設されるものであり、間隙１１ａを有する中空四角柱状に形成されている。消音ガイド１２は、シャッターカーテン８１の開閉時における金属音の発生を低減するものであって、回転ローラ１２ａ（特許請求の範囲に記載の整列部材に相当する。）と、取付ステー１２ｂ（特許請求の範囲の取付部材に相当する。）とによって構成されており、シャッター装置８０の一構成要素でありシャッターカーテン８１を収容するカーテン収容体８２内に配設されている。
【００１５】
回転ローラ１２ａは、シャッターカーテン８１を構成するシャッター要素体８１ａの短手方向端辺８１ｂを整列させるためのものであって、硬質の樹脂材から成り、取付ステー１２ｂを介してガイドレール本体１１の上端部に、且つ、ガイドレール本体１１の内壁面１１ｂよりも突出するように構成されている。これにより、シャッターカーテン８１の開閉動作を繰り返されても、図３及び図４に示すように、シャッターカーテン８１を閉じるたびに、巻取時（開けるとき）にずれてしまったシャッター要素体８１ａを整列させることができるし、開けるときにもシャッター要素体８１ａがずれないように巻き取ることができる。ひいては、シャッターカーテン８１の開閉動作を繰り返した場合にも、シャッター開閉時における金属音の発生を防止することが可能となる。
【００１６】
また、回転ローラ１２ａは、軸支のために円筒状に形成されるとともに、いずれの位置においても円周の半径も等しくされている。ここで、図５及び図６に示すように、シャッターカーテン８１は、その開閉量に応じて巻取量が異なるために回転ロー他１２ａと接触部位が異なるが、いずれの位置においても円周の半径も等しくされているので、その開閉量の如何にかかわらず、シャッターカーテン８１を構成するシャッター要素体８１ａの短手方向端面８１ｂを整列させることが可能となる。
【００１７】
案内レール１３は、カーテン収容体８２内に収容されているシャッターカーテン８１をガイドレール本体１１内に案内するものであり、ガイドレール本体１１の間隙１１ａの両端部に取り付けられるとともに、上方に延設されている。これにより、カーテン収容体８２内に収容されているシャッターカーテン８１を円滑にガイドレール本体１１内に案内することが可能となる。
【００１８】
また、案内レール１３は、曲率の大きい大曲率レール１３ａと、曲率の小さい小曲率レール１３ｂとによって構成されている。これにより、カーテン収容体８２内の収容スペースを浸食してしまうことを防止したり、異常時におけるカーテン収容体８２内のシャッターカーテン８１のだぶつきに対応することができる。また、従来においては、現地合わせ（現合）によりガイドレール本体１１を加工して案内部を作成していたが、かかる案内レール１３を用いることにより、電動カッター等の危険を伴う工具を使用頻度を極力減らすことができるのである。
【００１９】
更に、大曲率レール１３ａは、レール本体部１３ａ１及びそのレール本体部１３ａ１に取り付けられた円滑保護部１３ａ２とによって構成されている。同様に、小曲率レール１３ｂも、レール本体部１３ｂ１及びそのレール本体部１３ｂ１に取り付けられた円滑保護部１３ｂ２とによって構成されている。この円滑保護部１３ｂ２によって、シャッターカーテン８１の開閉時に案内レール１３に接触しても、その接触によりシャッターカーテン８１の振動（ビビリ）の発生を防止できる。ひいては、その振動により各カーテンシャッター要素体８１ａの短手方向端面８１ｂがずれてしまうことを防止することができる。
【実施例２】
【００２０】
次に、図７を参照して、本発明の第２の実施例（実施例２）のガイドレール２０について説明する。実施例３を説明するに当たっては、実施例１と同一の部分には、同一の符号を付してその説明を省略し、異なる部分のみを説明する。
【００２１】
ガイドレール２０は、ガイドレール本体１１と、消音ガイド２１と、案内レール１３とによって構成されており、消音ガイド２１は、回転ローラ１２ａと、取付ステー１２ｂと、中間部回転ローラ２１ａとによって構成されている。
【００２２】
中間部回転ローラ２１ａは、ガイドレール本体１１の中央部に配設されており、実施例２の回転ローラ２１ａと同様に曲面状に形成されている。これにより、シャッター要素体８１ａがガイドレール本体１１内でぐらつかないように規制することが可能となる。
【００２３】
以上、実施例に基づき本発明を説明したが、上記実施例は、本発明の趣旨を逸脱しない範囲内で種々の改良変形が可能であることはいうまでもなく、本発明の技術的範囲にはこれらの改良変形も含まれる。
【００２４】
例えば、上記実施例においては、特許請求の範囲に記載の整列部材が回転ローラ１２ａ及び中間部回転ローラ２１ａによって実現されている。しかしながら、シャッターカーテン８１を構成するシャッター要素体８１ａの短手方向端辺８１ｂを整列させることができるのであれば、特に回転するローラ部材に限定されるものではない。中間部回転ローラ２１ａにおいては、その上方位置に取り付けられた回転ローラ１２ａによりシャッター要素体８１ａの短手方向端辺８１ｂが一度整列され、補助的な役割を果たすものであり、特にいえる。しかしながら、シャッターカーテン８１ａの開閉を繰り返しても、回転ローラ１２ａが接触摩耗してしまうことを防止することができる点で整列部材を回転ローラ１２ａ及び中間部回転ローラ２１ａにより構成することが好ましい。
【００２５】
また、特許請求の範囲に記載の取付部材も取付ステー１２ｂにより構成されているが、回転ローラ１２ａ、中間部回転ローラ２１ａ等の整列部材のガイドレール１１への取付方式は、特に限定されるものではない。
【００２６】
なお、本発明のうち、特許請求の範囲に記載されている発明以外の発明について、特許請求の範囲に適合するように記載する。取付部材は、シャッター用ガイドをガイドレール本体の上端位置に取り付けることを特徴とするシャッター用ガイドレール（ａ）。取付部材は、ガイドレール本体の内壁面よりも突出するように取り付けることを特徴とするシャッター用ガイドレール（ｂ）。
【図面の簡単な説明】
【００２７】
【図１】本発明の実施例１の消音機構付きシャッター用ガイドレール（ガイドレール）の側面図である。
【図２】実施例の消音機構付きシャッター用ガイドレールの上面図である。
【図３】実施例１のガイドレールが適用されたシャッター装置の正面図である。
【図４】図３における回転ローラ配設部周辺の部分拡大図である。
【図５】実施例１のガイドレールが適用されたシャッター装置の側方断面図であり、シャッターカーテンの巻取量が多い場合である。
【図６】実施例１のガイドレールが適用されたシャッター装置の側方断面図であり、シャッターカーテンの巻取量が少ない場合である。
【図７】本発明の実施例３のガイドレールの側面図である。
【図８】従来技術におけるシャッター装置におけるシャッターカーテンのずれ具合を示す図である。
【符号の説明】
【００２８】
１０    ガイドレール
１１    ガイドレール本体
１１ａ  間隙
１１ｂ  内壁面
１２    消音ガイド
１２ａ  回転ローラ
１２ｂ  取付ステー
１３    案内レール
１３ａ  大曲率レール
１３ｂ  小曲率レール
２０    ガイドレール
２１    消音ガイド
２１ａ  中間部回転ローラ
８０    シャッター装置
８１    シャッターカーテン
８１ａ  シャッター要素体
８１ｂ  短手方向端辺
８２    カーテン収容体
【図１】
2006144394.tif 000003
【図２】
2006144394.tif 000004
【図３】
2006144394.tif 000005
【図４】
2006144394.tif 000006
【図５】
2006144394.tif 000007
【図６】
2006144394.tif 000008
【図７】
2006144394.tif 000009
【図８】
2006144394.tif 000010
【手続補正書】
【提出日】平成17年1月5日(2005.1.5)
【手続補正１】
【補正対象書類名】明細書
【補正対象項目名】０００２
【補正方法】変更
【補正の内容】
【０００２】
シャッター装置のうち、垂直方向に開閉する型式（ここでは、「垂直方向開閉式」という。）のものが、一般的な型式のものであって、通常、この型式のものを、単にシャッター装置と呼んでいる。ここで、図８に示すように、シャッター装置８０を構成するシャッターカーテン８１は、それぞれ矩形延板形状に形成された複数のシャッター要素体８１ａが接続されることによって構成されている。そして、このシャッターカーテン８１を上方のカーテン収容体８２内にて巻き取ることによってシャッターカーテン８１が開く一方、収容体８２内のシャッターカーテン８１を排出することによりシャッターカーテン８１が閉まるのである。